【手続補正書】
【提出日】平成17年11月1日(2005.11.1)
【手続補正１】
【補正対象書類名】特許請求の範囲
【補正対象項目名】全文
【補正方法】変更
【補正の内容】
【特許請求の範囲】
【請求項１】
既設ドアを撤去して残存した既設ドア枠に新設ドアを交換的に設置し該新設ドア設置の気密材を上記既設ドア枠に対接することによって既設ドア枠と新設ドアとの間の気密性を確保した改装ドアであって，上記新設ドアを両面フラッシュドアとし，その外形を画するように断面コ字状にして上下左右の枠材を留め接合して形成した中骨と，室外側見付面と見込面を覆うように該中骨に張設した室外側パネルと，室内側見付面を覆うように中骨に張設した室内側パネルとを備えて形成し，上記中骨における上下左右の枠材の室内側見付面幅方向中間に一連に連続する凹陥溝を配置するとともに該凹陥溝を室内側に露出するように室内側パネルを張設し，該露出した凹陥溝に嵌合脚部を嵌合することによって上記気密材を設置してなることを特徴とする既設ドア枠利用の改装ドア。
【請求項２】
上記室内側パネルの外周端部に室外側に折曲した折曲縁部を形成し，上記気密材の嵌合脚部の内側に位置するように該折曲縁部を中骨の凹陥溝に挿入してなることを特徴とする請求項１に記載の既設ドア枠利用の改装ドア。
【請求項３】
上記室外側パネルにその戸先側見込面から室内側見付面に向けて折曲した細幅の折返し条を配置し，該折返し条を上記中骨の戸先側における外周端部に重合被覆して戸先側見込面と室内側見付面との縁部を被覆してなることを特徴とする請求項１又は２に記載の既設ドア枠利用の改装ドア。
【手続補正２】
【補正対象書類名】明細書
【補正対象項目名】全文
【補正方法】変更
【補正の内容】
【発明の詳細な説明】
【発明の名称】既設ドア枠利用の改装ドア
【技術分野】
【０００１】
本発明は，公共住宅，マンション等玄関のドア改装に関し，特にドア改装を簡易になし得るようにした既設ドア枠利用の改装ドアに関する。
【背景技術】
【０００２】
例えば，この種既設ドア枠利用の改装ドアとして，既設ドアを撤去して残存した既設ドア枠に新設ドアを交換的に設置する一方，該既設ドア枠の室内側枠部に，例えば５〜６ｍｍ厚さ程度以下の可及的に薄肉とした平板状の室内側新枠を対接設置するとともに該室内側新枠の先端に溝形成突部を配置し，この溝形成突部に気密材を設置し，該気密材を新設ドアに対接することによって気密性を確保するようにしたものが提案されている。
【０００３】
【特許文献１】特開２００３−２０８６７号
【発明の開示】
【発明が解決しようとする課題】
【０００４】
この場合既設ドア枠を利用して新設ドアを交換的に設置するとともに，例えばカバー工法に見られるように新枠を設置することによる開口の狭まりを可及的に防止するとともに改装ドアとして気密性，断熱性，防音性等のドア性能を確保した簡易な改装ドアを得ることができ，例えば昭和３０年代から５０年台頃に建築され，一般にＫＪドアと称せられたプレスドアを用いたいわゆる公団住宅や民間マンションのドアを高機能ドアに交換することが可能となるが，この場合既設ドア枠に室内側新枠を設置することによって，可及的に薄肉とはいえその厚さ分だけ開口が狭くなって既設ドア枠の開口をそのまま使用することができないこと，該室内側新枠の設置作業がなお煩雑であり，相当程度の現場作業が残ること，室内側新枠の先端に溝形成突部を配置することによってこれが既設ドア枠の戸当り面から室外側に突出することになりその分新設ドアの見込が制限される結果，新設ドアが既設ドア枠から室外側に突出した納まりとなり，新設ドアの厚さが特殊寸法となることといった問題点が残されている。
【０００５】
本発明はかかる事情に鑑みてなされたもので，その解決課題とするところは，既存ドアを撤去した既設ドア枠に可及的簡易に新設ドアを納まりよく設置し得るとともに該新設ドアの設置によって自ずと気密性を確保し得るようにして現場作業を可及的に簡易化した既設ドア枠利用の改装ドアを提供するにある。
【課題を解決するための手段】
【０００６】
上記課題に添って本発明は，既設ドアを撤去した既設ドア枠に新設ドアを交換的に設置するとともに該新設ドアが気密材を備えていることによって，例えば既設ドアのヒンジを新設ドア用のものに取り替える程度の簡易な作業でドア改装をなし得るようにし，また上記新設ドアの気密材を可及的に既設ドア枠の戸当り面に近接且つ対向する新設ドアの室内側見付面の外周端部にこれを被覆して外観よく設置してこれら戸当り面と新設ドアの外周端部間の気密性を安定して確実に確保し得るとともに上記新設の両面フラッシュドアの構造を可及的に簡易にして気密材を確実にドアの外周端部に一連に連続して設置し，改装ドアの気密性を有効且つ適切に確保し得るものとするようにしたものであって，即ち請求項１に記載の発明を，既設ドアを撤去して残存した既設ドア枠に新設ドアを交換的に設置し該新設ドア設置の気密材を上記既設ドア枠に対接することによって既設ドア枠と新設ドアとの間の気密性を確保した改装ドアであって，上記新設ドアを両面フラッシュドアとし，その外形を画するように断面コ字状にして上下左右の枠材を留め接合して形成した中骨と，室外側見付面と見込面を覆うように該中骨に張設した室外側パネルと，室内側見付面を覆うように中骨に張設した室内側パネルとを備えて形成し，上記中骨における上下左右の枠材の室内側見付面幅方向中間に一連に連続する凹陥溝を配置するとともに該凹陥溝を室内側に露出するように室内側パネルを張設し，該露出した凹陥溝に嵌合脚部を嵌合することによって上記気密材を設置してなることを特徴とする既設ドア枠利用の改装ドアとしたものである。
【０００７】
請求項２に記載の発明は，上記に加えて，上記新設ドアの両面フラッシュドアの室内側見付面に中骨の枠材乃至その凹陥溝のエッジが露出して外観が損なわれるのを防止して良好な外観のものとし得るように，これを，上記室内側パネルの外周端部に室外側に折曲した折曲縁部を形成し，上記気密材の嵌合脚部の内側に位置するように該折曲縁部を中骨の凹陥溝に挿入してなることを特徴とする請求項１に記載の既設ドア枠利用の改装ドアとしたものである。
【０００８】
請求項３に記載の発明は，同じく上記に加えて，上記新設ドアの両面フラッシュドアの人目につき易い戸先側見込面における室内側のエッジが露出して外観が損なわれるのを防止して良好な外観のものとし得るように，これを，上記室外側パネルにその戸先側見込面から室内側見付面に向けて折曲した細幅の折返し条を配置し，該折返し条を上記中骨の戸先側における外周端部に重合被覆して戸先側見込面と室内側見付面との縁部を被覆してなることを特徴とする請求項１又は２に記載の既設ドア枠利用の改装ドアとしたものである。
【０００９】
本発明はこれらをそれぞれ発明の要旨として上記課題解決の手段としたものである。
【発明の効果】
【００１０】
本発明は以上のとおりに構成したから，請求項１に記載の発明は，既設ドアを撤去した既設ドア枠に新設ドアを交換的に設置するとともに該新設ドアが気密材を備えていることによって，例えば既設ドアのヒンジを新設ドア用のものに取り替える程度の簡易な作業でドア改装をなし得るようにし，また上記新設ドアの気密材を可及的に既設ドア枠の戸当り面に近接且つ対向する新設ドアの室内側見付面の外周端部にこれを被覆して外観よく設置してこれら戸当り面と新設ドアの外周端部間の気密性を安定して確実に確保し得るとともに上記新設の両面フラッシュドアの構造を可及的に簡易にして気密材を確実にドアの外周端部に一連に連続して設置し，改装ドアの気密性を有効且つ適切に確保し得るものとするようにした既設ドア枠利用の改装ドアを提供することができる。
【００１１】
請求項２に記載の発明は，上記に加えて，上記新設ドアの両面フラッシュドアの室内側見付面に中骨の枠材乃至その凹陥溝のエッジが露出して外観が損なわれるのを防止して良好な外観のものとすることができる。
【００１２】
請求項３に記載の発明は，同じく上記に加えて，上記新設ドアの両面フラッシュドアの人目につき易い戸先側見込面における室内側のエッジが露出して外観が損なわれるのを防止して良好な外観のものとすることができる。
【発明を実施するための最良の形態】
【００１３】
以下図面の例に従って本発明を更に具体的に説明すれば，Ａは改装ドアであり，該改装ドアＡは，既設ドアを撤去して残存した既設ドア枠１に新設ドア３を交換的に設置し該新設ドア３設置の気密材１５を上記既設ドア枠１に対接することによって既設ドア枠１と新設ドア３との間の気密性を確保したものとしてある。
【００１４】
即ち改装ドアＡは，例えば昭和３０年代から５０年台頃に建築され，一般にＫＪドアと称せられるプレスドアを用いたいわゆる公団住宅や民間マンションのドアを高機能ドアに交換するように，本例にあって新設ドア３を断熱防音性能を確保した両面フラッシュドアとして，これを上記ＫＪドアにおけるプレスドアの既設ドアに代替的に交換設置することによって，例えば既設ドアを撤去し，これに伴う該既設ドアの既設ヒンジを取り外して，該既設ドア枠１に新設ドア用の新設ヒンジを設置して残存した既設ドア枠１を可及的にそのまま利用して各戸の居住者が居住した状態で極く短時間に騒音を発することなくそのドアの改装作業を完了し得るようにしてある。
【００１５】
このとき上記新設ドア３は，これを両面フラッシュドアとし，その外形を画するように断面コ字状にして上下左右の枠材５を留め接合して形成した中骨４と，室外側見付面と見込面を覆うように該中骨４に張設した室外側パネル１１と，室内側見付面を覆うように中骨４に張設した室内側パネル１３とを備えて形成し，上記中骨４における上下左右の枠材５の室内側見付面幅方向中間に一連に連続する凹陥溝６を配置するとともに該凹陥溝６を室内側に露出するように室内側パネル１３を張設し，該露出した凹陥溝６に嵌合脚部１８を嵌合することによって上記気密材１５を設置したものとしてある。
【００１６】
本例にあって上記上下左右の枠材５は，例えば鋼板をプレスやロールホーミングによって屈曲加工することによって上記断面コ字状とし，その室内側見付面の，例えば中央より外周側に変位した位置に，その室内側見付面の外周に矩形細帯状にして該室内側見付面と同一面をなす外周端部９を区画形成して室内側に開口するように長手方向一連にして細溝状の凹陥溝６を形成した同一断面異長の鋼製のものを共通に用いてあり，このとき該枠材５はそれぞれ長手方向両端部を４５度の角度に切断し該切断面を突合せて，該突合せ部分を，例えば溶接することによって留め接合して中骨４として矩形の枠組みを施したものとしてあり，このとき該枠組みにおける上下左右の枠材５間にはその適宜箇所に多数の補強枠材１０を介設するように架設配置して補強を行い，これによって上記中骨４を上下左右の枠材５による矩形枠とこれに架設した補強枠材１０とにより剛性に優れた格子状のものとしてある。このとき補強枠材１０は上下左右の枠材５の上記凹陥溝６形成前の断面コ字状のものを共通に用い，例えば長手方向両端に切欠き加工を施して設置した肉厚相当長さの先端突起を上下左右の枠材５に透設したスリットに差込み係合し，また補強枠材１０同士にあってはその一方の長手方向両端に同じく切欠き加工を施して設置した先端舌片を他方に透設したスリットに差し込み折曲して，上記留め接合した矩形枠内にあって可及的に簡易にして充分な強度を持つ接合を行なったものとしてある。
【００１７】
上記断面コ字状の上下左右の枠材５に配置した上記凹陥溝６は，これを，例えば断面コ字状とするとともに，本例にあってその開口を幾分狭小化するように対向する一方の外周側の対向壁を溝内側方向への傾斜壁７とし他方の内周壁を垂直壁８としてあり，これによって後述の該凹陥溝６に嵌合配置した気密材１５における嵌合脚部１８の抜け止めをなすようにしてある。
【００１８】
中骨４には，本例にあってその格子状の空隙にそれぞれグラスウール，発泡樹脂ブロック等適宜の断熱材２１を充填配置して，その室内外を室外側パネル１１と室内側パネル１３によって被覆して，例えば厚さを，この種標準的な見込とされる３６ｍｍとした両面フラッシュドアとしてあり，このとき室外側パネル１１は該中骨４の室外側の見付面とその外周折曲部の見込面とを覆い，室内側パネル１３はその室内側の見付面を覆うようにその被覆を行うとともに中骨４における上記上下左右の枠材５の凹陥溝６が直接に室内側に露出するようにしてある。
【００１９】
本例の室外側パネル１１及び室内側パネル１３は，表面を化粧面とした塩ビ鋼板，焼付け鋼板等の鋼製パネルを用いて上記中骨４をそれぞれ覆うように室外側パネル１１にあって矩形平板状の室外側見付面をとその四辺の端部を室内側に折曲した見込面とを浅いボックス状をなすように備えたものとし，室内側パネル１３にあってこれよりやや小さい面積にして同じく矩形平板状の室内側見付面を備えたものとしてあり，本例にあって該室外側パネル１１は，これにその戸先側見込面から室内側見付面に向けて折曲した細幅の折返し条１２を配置し，該折返し条１２を上記中骨４の戸先側における外周端部９に重合被覆して戸先側見込面と室内側見付面との縁部を被覆したものとし，また室内側パネル１３は，その外周端部９に室外側に折曲した折曲縁部１４を形成し，上記気密材１５の嵌合脚部１８の内側に位置するように該折曲縁部１４を中骨４の凹陥溝６に挿入したものとしてある。
【００２０】
即ち本例の室外側パネル１１は，室外側見付面から折曲した見込面の先端を，そのエッジが露出するのを防止するのを防止するように，例えばそれぞれ裏側にハゼ折りすることによってその端部処理を施したものとする一方，特に戸先側見込面についてはその先端を更に室内側見付面に向けて折曲して戸先側見込面を溝状とするように室内側に細幅の折返し条１２を形成配置したものとしてあり，これによって室外側パネル１１は吊元側及び上下の３辺を見付面から垂直にして端部処理を施した見込面とし，戸先側の見込面に折返し条１２を具備したものとして，該室外側パネル１１による中骨４の被覆を，該折返し条１２が，上記上下左右の枠材５に凹陥溝６によって区画形成した外周端部９を重合して，該戸先側見込面と室内側見付面との縁部を覆うように中骨４を被覆したものとし，戸先側で該縁部が露出することによる外観不良を解消するようにしてある。
【００２１】
また本例の室内側パネル１３は，上記矩形平板状の室内側見付面に加えて，その４辺を室外側に折曲した折曲縁部１４を備えたものとし，該室内側パネル１３による中骨４の被覆を，該４辺の折曲縁部１４が上記上下左右の枠材５における凹陥溝６の上記垂直壁８をなす内周壁に添って該凹陥溝６内に挿入するようにして，同じく室内側見付面に中骨４の枠材５乃至その凹陥溝６のエッジが露出することによる外観不良を解消するようにしてある。
【００２２】
中骨４に対して室外側パネル１１及び室内側パネル１３は，例えば室外側パネル１１を裏返し状に配置し，これに接着剤を塗布した中骨４を載置し，その後に該中骨４に室内側パネル１３を載置して相互に接着固定することによって，中骨４の表裏両面にパネルを備えた両面フラッシュドアとしてその被覆固定を行なったものとしてある。
【００２３】
このとき本例にあっては上記室外側パネル１１に細幅の折返し条１２を配置したことによって室外側パネル１１への中骨４の載置を，戸先側を折返し条１２の下面に差込み状とした後に吊元側を落し込み状にするけんどん的な差込み装着によってこれを行い，該差込み装着によって折返し条１２は中骨４の戸先側枠材５の凹陥溝６を塞ぐことなくその外周端部９を覆うようにしてある。本例にあって差込み載置を行うためにこの折返し条１２は，その幅を，例えば５ｍｍ程度以下の細幅，本例にあっては例えば４ｍｍ程度としてあり，これによって該折返し条１２の幅が５ｍｍ程度を超えることによって，例えば上記３６ｍｍ厚さとした新設ドア３において，両面のパネル肉厚に相当する１．５ｍｍ程度を薄くした３５ｍｍ近い厚さとなる中骨４の差込み載置の装着が容易になし難くなるのを防止し，更に折返し条１２の先端が凹陥溝６に掛るのを避けるために中骨４の枠材５が必要以上に幅広となりコストアップ要因となるのを防止したものとしてある。
【００２４】
また室内側パネル１３に折曲縁部１４を配置したことによって室外側パネル１１に差込み載置した中骨４への室内側パネル１３の載置は，上記４辺の折曲縁部１４が一連に連続する凹陥溝６に挿入されるように水平の落し込み状に載置してその装着を行うものとしてあり，このとき折曲縁部１４の幅は，上記折返し条１２と同じく細幅にして，特に凹陥溝６の深さの約１ｃｍ程度より細い，例えば１〜２ｍｍ程度以上の，本例にあって５ｍｍ程度としてある。これによって両面フラッシュドアは，その室内側見付面の外周に矩形細帯状にして該見付面と同一面をなす外周端部９を区画形成するように該ドア形状に添って一連に連続する凹陥溝６を露出して配置したものとなる。
【００２５】
このように室外側パネル１１と室内側パネル１３によって被覆し，上記凹陥溝６を露出した両面フラッシュドアには，その室内側の凹陥溝６に気密材１５の嵌合脚部１８を嵌入しそのクッション部１７を該凹陥溝６外側の上記外周端部９側に張出状に配置して該クッション部１７により該ドアの外周端部９を連続的に被覆囲繞することによって上記既設ドア枠１の戸当り面２に対して気密材１５を両面フラッシュドアの室内側において対接自在として既設ドア枠１との間で気密性を確保してある。また該気密材の設置を上記室内側とすることによって既設ドア枠１の戸当り面から室外側枠部の寸法が狭小化するのを防止して規格厚さの新設ドアの両面フラッシュドアを用いてもこれが既設ドア枠に納まりよく設置されて良好な外観を確保するようにしてある。
【００２６】
本例の気密材１５は，これをクッション部１７と該クッション部１７を有する薄肉ベース部１６と該薄肉ベース部１６に対してＬ字状をなすように室外側に向けた嵌合脚部１８とを備えて形成してあり，本例にあって該気密材１５は，硬質樹脂にして可及的に薄肉化した薄肉ベース部１６と，該ベース部の表面の室内側に向けて一体に膨出した軟質樹脂中空のクッション部１７と，上記ベース部１６をＬ字状に屈曲するように裏面の室外側に向けて突出した硬質樹脂短寸の脚部基部１９と，該脚部基部１９と上記嵌合脚部１８を形成するように該脚部基部１９両側の見付面側に向けてやや室内側に傾斜するように一体に突出した軟質樹脂複数条のフィン２０とを，同時押出することによって一体成形したものとしてある。該気密材１５は，これを，中骨４における上記上下左右の枠材５に一連に連続する凹陥溝６に，その嵌合脚部１８を圧入するように嵌入し，その上記軟質樹脂複数条のフィン２０を凹陥溝６の対向壁，本例にあっては上記傾斜壁７と垂直壁８に圧接することによって，そのクッション部１７を該凹陥溝６の外側の，本例にあって戸先側の折返し条１２を含む外周端部９側に張出状に配置して該クッション部１７によって該ドアの外周端部９を連続的に外観よく被覆囲繞し，既設ドア枠１に新設ドア３の両面フラッシュドアを吊り支持して設置した状態で，該クッション部１７を既設ドア枠１の上記戸当り面２に近接且つ対向するように配置し，該戸当り面２と新設ドア３の外周端部９間で気密性を安定且つ確実に確保し得るようにしてある。
【００２７】
気密材１５は，このように新設ドア３の両面フラッシュドアの外周端部９に設置したことによって，該気密材１５は該ドア３と上記戸当り面２との間で常時圧接されて凹陥溝６内方に押圧されるから，一般に嵌合した嵌合脚部１８が凹陥溝６から外れることはないが，例えば，これを引抜く等の児童の悪戯によって気密材１５が部分的に外れて気密性が損われたりすることのないように，本例にあって該気密材１５の設置は，上記嵌合脚部１８の嵌合とともに薄肉ベース部１６を外周端部９，本例にあって戸先側にあってはその折返し条１２に対して，いずれか一方に塗布した接着剤によって接着してその安定且つ確実な固定を行なうようにしてある。
【００２８】
両面フラッシュドアは，本例にあって該気密材１５の設置，更に図示省略のドアスコープ，レバーハンドル乃至ドアノブ等その余の部品設置を含めて全てを工場生産して完成品出荷することによって改装現場に搬入し，改装現場の既設ドアに代替するように，上記既設ヒンジを取り外した既設ドア枠１に新設ヒンジを取り付け，該新設ヒンジによって吊り支持してその交換的な設置を行なうことによって，公団住宅や民間マンションの各戸の玄関を改装ドアＡとするドア改装を完了するようにしてあり，このとき既設ドア枠１に塗膜剥離等があれば塗装や部分的な補修を行なうことを妨げるものではないが，この場合を含めても玄関先の廊下等の共用スペースにおける長時間に亘る現場工事，騒音，塵埃，振動等を伴う現場工事を行なうことなく，極く短時間に簡易なドア改装をなし得るとともに該両面フラッシュドアは，上記断熱防音性能を確保した高機能ドアとして，鋼板をプレス成形しこれに郵便受を設置して製造し，断熱性や防音性を期待できないプレスドアに対して，新設マンションと同様な玄関先の断熱性，防音性を確保したものとすることができる。このとき新設ヒンジは，これを耐震性を備えた，例えば対震ヒンジといわれるヒンジを用いたり，寸法設定を耐震用とする等すれば，該高機能ドアを更に耐震ドアとすることが可能であり，更にそのドア機能をアップして住宅価値を向上することができる。
【００２９】
図示した例は以上のとおりとしたが，本発明の実施に当って，新設ドアの両面フラッシュドア，その中骨，室外側パネル，室内側パネル，凹陥溝，気密材，その嵌合脚部，必要に応じて用いる室内側パネルの折曲縁部，室外側パネルの折返し条等の各具体的構造，形状，材質，これらの関係，これらに対する付加等は，上記発明の要旨に反しない限り様々の形態のものとすることができ，もとより上記図示説明した例に限定する必要はない。
【図面の簡単な説明】
【００３０】
【図１】改装ドアの縦断面図である。
【図２】改装ドアの横断面図である。
【図３】改装ドアと既設ドア枠との関係を示す戸先側の拡大断面図である。
【図４】新設ドアの基本構造を示す分解斜視図である。
【図５】戸先側における凹陥溝近傍の拡大斜視図である。
【符号の説明】
【００３１】
Ａ  改装ドア
１  既設ドア枠
２  戸当り面
３  新設ドア
４  中骨
５  枠材
６  凹陥溝
１１  室外側パネル
１２  折返し条
１３  室内側パネル
１４  折曲縁部
１５  気密材